(57)【特許請求の範囲】
【請求項１】
入力端から入力された増幅対象の信号を増幅器により増幅して出力端から出力する増幅装置において、
信号を増幅する複数の増幅器と、
前記複数の増幅器のそれぞれ毎に設けられて、各増幅器に入力される信号に関する情報及び各増幅器から出力される信号に関する情報を検出する情報検出手段と、
温度を検出する温度検出手段と、
温度毎に前記情報検出手段による検出結果に関する条件を設定する条件設定手段と、
前記情報検出手段による検出結果が、前記温度検出手段により検出される温度に対応する前記条件設定手段に設定された条件を満たすように或いは当該条件に近づくように、前記複数の増幅器のうちの１以上の増幅器のゲート電圧を制御する制御手段と、
所定の周波数の信号を基準信号として発振する発振器と、
信号を終端する終端器と、
前記入力端から入力された前記増幅対象の信号を前記複数の増幅器により増幅して前記出力端から出力する第１の切替状態と、前記発振器により発振された前記基準信号を前記複数の増幅器により増幅して前記終端器により終端する第２の切替状態とを切り替える切替手段と、を備え、
前記制御手段は、前記第１の切替状態においては、前記増幅対象の信号についての前記情報検出手段による検出結果に基づいてゲート電圧の制御を行い、前記第２の切替状態においては、前記基準信号についての前記情報検出手段による検出結果に基づいてゲート電圧の制御を行う、
ことを特徴とする増幅装置。
【発明の詳細な説明】
【技術分野】
【０００１】
本発明は、信号を増幅器により増幅する増幅装置に関し、特に、安定した増幅を実現する増幅装置に関する。
【背景技術】
【０００２】
信号を増幅器により増幅することは種々な分野で行われており、例えば、無線通信システムの基地局装置などでは送信対象となる信号を増幅器により増幅することが行われている。
図２には、電力増幅器として機能する増幅装置の構成例を示してある。
本例の増幅装置では、入力端Ａ１１から高周波入力として高周波数（ＲＦ：Ｒａｄｉｏ  Ｆｒｅｑｕｅｎｃｙ）の信号が入力され、当該入力信号が励振増幅器４１により増幅され、当該増幅信号が分配器４２により分配される。そして、一方の分配信号が一方の電力増幅器４３により増幅されるとともに、他方の分配信号が他方の電力増幅器４４により増幅され、これら２つの増幅信号が合成器４５により合成されて、当該合成信号が高周波出力として出力端Ａ１２から出力される。
【０００３】
また、本例の増幅装置では、合成器４５から出力端Ａ１２へ出力される信号の一部を方向性結合器４６により取得し、当該取得した信号に基づいて進行波Ｐｆ及び反射波Ｐｒを検出する。このように、増幅装置からの出力信号に基づいて進行波Ｐｆ及び反射波Ｐｒを監視することにより、例えば、規定レベル以上の反射波レベルを検出した時に送信を禁止することや、或いは、各増幅器４１、４３、４４の過電流などを検出して電力増幅器に保護をかけることが行われる。
【０００４】
【特許文献１】特開平９−１５３８２８号公報
【発明の開示】
【発明が解決しようとする課題】
【０００５】
しかしながら、上記従来例で示したような増幅装置では、未だに、増幅が不安定になってしまって電力増幅器が破壊されてしまうこともあり、更に増幅を安定化させることが望まれていた。特に、電力増幅器が破壊される多くの場合の原因は、出力側の反射或いは２合成増幅を行う際の利得偏差及び位相ずれによる能動素子の破壊であった。
本発明は、このような従来の課題を解決するために為されたもので、信号を増幅器により増幅するに際して、安定した増幅を実現することができる増幅装置を提供することを目的とする。
【課題を解決するための手段】
【０００６】
上記目的を達成するため、本発明に係る増幅装置では、次のような構成により、信号を増幅器により増幅する。
すなわち、複数の増幅器を用いて信号を増幅するに際して、前記複数の増幅器のそれぞれ毎に設けられた情報検出手段が、それぞれの増幅器に入力される信号に関する情報及び当該それぞれの増幅器から出力される信号に関する情報を検出する。また、温度検出手段が温度を検出する。また、条件設定手段が、温度毎に、前記情報検出手段による検出結果に関する条件を設定する。そして、制御手段が、前記情報検出手段による検出結果が、前記温度検出手段により検出される温度に対応する（前記条件設定手段に設定された）条件を満たすように或いは当該条件に近づくように、前記複数の増幅器のうちの１以上の増幅器のゲート電圧を制御する。
従って、複数の増幅器のそれぞれについて入力信号に関する情報及び出力信号に関する情報が検出され、当該検出結果が設定された条件を満たすように或いは当該条件に近づくように、１以上の増幅器のゲート電圧が制御されるため、安定した増幅を実現することができる。
【０００７】
ここで、増幅対象となる信号としては、種々な信号が用いられてもよく、例えば、通信される信号などを用いることができる。
また、複数の増幅器の数としては、種々な数が用いられてもよい。
また、それぞれの増幅器について、入力される信号に関する情報としては、例えば、当該入力信号についての進行波の情報や、反射波の情報や、位相の情報を用いることができ、また、出力される信号に関する情報としては、例えば、当該出力信号についての進行波の情報や、反射波の情報や、位相の情報を用いることができる。
また、検出する温度としては、例えば、増幅装置或いはその付近の温度又は各増幅器の温度などを検出するのが好ましい。
【０００８】
また、情報検出手段による検出結果に関する条件としては、例えば、目標となる検出結果の条件が用いられ、具体的には、検出される情報（入力信号に関する情報及び出力信号に関する情報）が満たすべき或いは満たすのが好ましい条件が用いられる。一例として、検出結果として進行波の情報と反射波の情報と位相の情報が検出される場合に、条件として目標となる利得の情報及び目標となる位相の情報を用いることができる。
また、条件設定手段としては、例えば、予め設定された条件をメモリなどに固定的に記憶する手段が用いられてもよく、或いは、設定された条件が可変に変更可能な手段が用いられてもよい。
【０００９】
また、情報検出手段による検出結果に関する条件としては、例えば、複数の増幅器の全てについて共通な条件が用いられてもよく、或いは、複数の増幅器のうちの２以上（ここでは、全てではなく一部）について共通な条件が用いられてもよく、或いは、各増幅器毎に異なる条件が用いられてもよい。
また、複数の増幅器のゲート電圧を制御する態様としては、例えば、それぞれの増幅器のゲート電圧を個別に制御する態様が用いられてもよく、或いは、全ての増幅器のゲート電圧をまとめて制御する態様が用いられてもよく、或いは、２以上の増幅器（ここでは、全てではなく一部）のゲート電圧をまとめて制御する態様が用いられてもよい。
具体例として、それぞれの増幅器毎に設定された条件及びそれぞれの増幅器毎に検出された結果に基づいてそれぞれの増幅器毎のゲート電圧を制御する態様や、或いは、複数の増幅器又は２以上の増幅器（ここでは、全てではなく一部）について共通に設定された条件及びそれぞれの増幅器毎に検出された結果に基づいてそれぞれの増幅器毎のゲート電圧を制御する態様などを用いることができる。
【発明の効果】
【００１０】
以上説明したように、本発明に係る増幅装置によると、複数の増幅器のそれぞれ毎に入力信号に関する情報及び出力信号に関する情報を検出し、温度を検出し、これらの検出結果に基づいて、前記検出される情報が温度に対応する条件を満たすように或いは当該条件に近づくように、各増幅器のゲート電圧を制御するようにしたため、安定した増幅を実現することができる。
【発明を実施するための最良の形態】
【００１１】
本発明に係る一実施例を図面を参照して説明する。
図１には、本発明の一実施例に係る増幅装置の構成例を示してある。本例の増幅装置は、電力増幅器として機能し、例えば、無線通信装置に設けられて、送信対象となる無線周波数（ＲＦ）の信号を増幅する。
本例の増幅装置は、図示されるように、入力端Ａ１と出力端Ａ２との間に、スイッチ２３と、方向性結合器１１と、励振増幅器１と、方向性結合器１２と、分配器２と、２つの経路に設けられた回路３、４、１３〜１６と、合成器５と、方向性結合器１７と、スイッチ２４を備えている。
前記２つの経路に設けられた回路３、４、１３〜１６としては、分配器２と合成器５の間に、一方の経路には方向性結合器１３と電力増幅器３と方向性結合器１４を備えており、他方の経路には方向性結合器１５と電力増幅器４と方向性結合器１６を備えている。
【００１２】
また、本例の増幅装置は、入力側のスイッチ２３の側に発振器２１を備えており、出力側のスイッチ２４の側に終端器２２を備えている。
また、本例の増幅装置は、各増幅器１、３、４の監視及び制御を行うための処理部として、ＲＯＭ（Ｒｅａｄ  Ｏｎｌｙ  Ｍｅｍｏｒｙ）３１と、温度センサ３２と、Ａ／Ｄ（Ａｎａｌｏｇ  ｔｏ  Ｄｉｇｉｔａｌ）変換器３３と、ＤＳＰ（Ｄｉｇｉｔａｌ  Ｓｉｇｎａｌ  Ｐｒｏｃｅｓｓｏｒ）３４と、Ｄ／Ａ（Ｄｉｇｉｔａｌ  ｔｏ  Ａｎａｌｏｇ）変換器３５を備えている。
【００１３】
本例の増幅装置において行われる動作の一例を示す。
入力側のスイッチ２３は、入力端Ａ１と方向性結合器１１とを接続する状態と、発振器２１と方向性結合器１１とを接続する状態を切り替える。
出力側のスイッチ２４は、方向性結合器１７と出力端Ａ２とを接続する状態と、方向性結合器１７と終端器２２とを接続する状態を切り替える。
発振器２１は、所定の周波数の信号を基準信号として発振する。
終端器２２は、信号を終端する。
【００１４】
本例の増幅装置では、２つの切替状態がある。
第１の切替状態では、入力側のスイッチ２３により入力端Ａ１と方向性結合器１１とが接続されるとともに、出力側のスイッチ２４により方向性結合器１７と出力端Ａ２とが接続される。この第１の切替状態では、入力端Ａ１から高周波入力として入力される高周波数（ＲＦ）の信号が内部で増幅されて、当該増幅信号が高周波出力として出力端Ａ２から出力される。
第２の切替状態では、入力側のスイッチ２３により発振器２１と方向性結合器１１とが接続されるとともに、出力側のスイッチ２４により方向性結合器１７と終端器２２とが接続される。この第２の切替状態では、発振器２１により発振される信号が内部で増幅されて、当該増幅信号が終端器２２により終端される。
【００１５】
励振増幅器１は、スイッチ２３及び方向性結合器１１を介して入力される信号を増幅して、当該増幅信号を方向性結合器１２を介して分配器２へ出力する。なお、この入力信号は、入力端Ａ１からの信号或いは発振器２１からの信号である。
励振増幅器１の入力側の方向性結合器１１は、励振増幅器１に入力される信号（方向性結合器１１を通過する信号）の一部を取得して、当該取得した信号に基づいて、進行波Ｐｆ１１と反射波Ｐｒ１１と位相Φ１１を検出する機能を有しており、当該検出結果をＡ／Ｄ変換器３３へ出力する。
励振増幅器１の出力側の方向性結合器１２は、励振増幅器１から出力される信号（方向性結合器１２を通過する信号）の一部を取得して、当該取得した信号に基づいて、進行波Ｐｆ１２と反射波Ｐｒ１２と位相Φ１２を検出する機能を有しており、当該検出結果をＡ／Ｄ変換器３３へ出力する。
【００１６】
分配器２は、励振増幅器１から方向性結合器１２を介して入力される信号を分配し、一方の分配信号を方向性結合器１３を介して一方の電力増幅器３へ出力し、他方の分配信号を方向性結合器１５を介して他方の電力増幅器４へ出力する。
一方の電力増幅器３は、分配器２から方向性結合器１３を介して入力される信号を増幅して、当該増幅信号を方向性結合器１４を介して合成器５へ出力する。
一方の電力増幅器３の入力側の方向性結合器１３は、一方の電力増幅器３に入力される信号（方向性結合器１３を通過する信号）の一部を取得して、当該取得した信号に基づいて、進行波Ｐｆ２１と反射波Ｐｒ２１と位相Φ２１を検出する機能を有しており、当該検出結果をＡ／Ｄ変換器３３へ出力する。
一方の電力増幅器３の出力側の方向性結合器１４は、一方の電力増幅器３から出力される信号（方向性結合器１４を通過する信号）の一部を取得して、当該取得した信号に基づいて、進行波Ｐｆ２２と反射波Ｐｒ２２と位相Φ２２を検出する機能を有しており、当該検出結果をＡ／Ｄ変換器３３へ出力する。
【００１７】
他方の電力増幅器４は、分配器２から方向性結合器１５を介して入力される信号を増幅して、当該増幅信号を方向性結合器１６を介して合成器５へ出力する。
他方の電力増幅器４の入力側の方向性結合器１５は、他方の電力増幅器４に入力される信号（方向性結合器１５を通過する信号）の一部を取得して、当該取得した信号に基づいて、進行波Ｐｆ３１と反射波Ｐｒ３１と位相Φ３１を検出する機能を有しており、当該検出結果をＡ／Ｄ変換器３３へ出力する。
他方の電力増幅器４の出力側の方向性結合器１６は、他方の電力増幅器４から出力される信号（方向性結合器１６を通過する信号）の一部を取得して、当該取得した信号に基づいて、進行波Ｐｆ３２と反射波Ｐｒ３２と位相Φ３２を検出する機能を有しており、当該検出結果をＡ／Ｄ変換器３３へ出力する。
【００１８】
合成器５は、一方の電力増幅器３から方向性結合器１４を介して入力される信号と、他方の電力増幅器４から方向性結合器１６を介して入力される信号を合成して、当該合成信号を方向性結合器１７を介してスイッチ２４へ出力する。この合成信号は、出力端Ａ２から出力される或いは終端器２２により終端される。
増幅装置の出力側に設けられた方向性結合器１７は、最終的な電力増幅結果である前記合成信号（方向性結合器１７を通過する信号）の一部を取得して、当該取得した信号に基づいて、進行波Ｐｆ４と反射波Ｐｒ４と位相Φ４を検出する機能を有しており、当該検出結果をＡ／Ｄ変換器３３へ出力する。
【００１９】
ＲＯＭ３１は、各方向性結合器１１〜１７により検出される情報に関するテーブル（ＲＯＭテーブル）を記憶する。本例では、温度毎に最適な利得及び位相を表す情報が設定されたテーブルが予めＲＯＭ３１に書き込まれて記憶されている。このような最適な値は、例えば、経験又は実験により或いは理論的に求められる。
温度センサ３２は、本例の増幅装置或いはその付近の温度を検出する機能を有しており、本例では、増幅装置に電源が投入されているときには常に温度を検出して当該検出結果をＡ／Ｄ変換器３３へ出力する。これにより、電源投入時は常に温度を監視する。なお、検出する温度としては、例えば、各増幅器１、３、４の温度或いはそれに近いことが望ましい。
【００２０】
Ａ／Ｄ変換器３３は、各方向性結合器１１〜１７から入力される進行波、反射波及び位相の検出結果をアナログ信号からデジタル信号へ変換してＤＳＰ３４へ出力するとともに、温度センサ３２から入力される温度の検出結果をアナログ信号からデジタル信号へ変換してＤＳＰ３４へ出力する。
ＤＳＰ３４は、Ａ／Ｄ変換器３３を介して入力される温度の情報（デジタル信号）及び各方向性結合器１１〜１７により検出された進行波、反射波及び位相の情報（デジタル信号）と、ＲＯＭ３１に記憶されたテーブルの情報に基づいて、各増幅器１、３、４に関して常に最適な利得及び位相が実現されるように、各増幅器１、３、４のゲート電圧Ｖｇｓ１〜３の制御を行うためのデジタル信号をＤ／Ａ変換器３５へ出力する。本例では、この各増幅器１、３、４のゲート電圧Ｖｇｓ１〜３の制御を行うためのデジタル信号として、各増幅器１、３、４のゲート電圧Ｖｇｓ１〜３として印加する電圧の信号を用いている。
【００２１】
Ｄ／Ａ変換器３５は、ＤＳＰ３４から入力されるデジタル信号をアナログ信号へ変換して、各増幅器１、３、４のゲート電圧Ｖｇｓ１〜３として出力する。各増幅器１、３、４には、このゲート電圧Ｖｇｓ１〜３が印加される。
なお、各増幅器１、３、４に印加するゲート電圧Ｖｇｓ１〜３としては、例えば、２つ以上の増幅器について同一の電圧値が用いられてもよく、或いは、それぞれ異なる電圧値が用いられてもよい。
【００２２】
このように、本例のＤＳＰ３４では、増幅装置内に備えられた各々の増幅器１、３、４の入力側及び出力側などにおける進行波Ｐｆ、反射波Ｐｒ、位相Φを常に監視するとともに、温度を常に監視する。また、ＲＯＭ３１に記憶されている各温度に対応した最適な利得及び位相が設定されたテーブルの内容を参照して、各温度において検出された進行波Ｐｆ、反射波Ｐｒ、位相Φとテーブルに設定された最適な利得及び位相とを比較し、各温度において検出された進行波Ｐｆ、反射波Ｐｒ、位相Φがテーブルに設定された最適な利得及び位相を実現するものであるか否かを判定する。この結果、各温度において検出された進行波Ｐｆ、反射波Ｐｒ、位相Φがテーブルに設定された最適な規格からずれている場合つまりテーブルに設定された最適な利得及び位相を実現するものではない場合には、各増幅器１、３、４に印加するゲート電圧Ｖｇｓ１〜３を変化させて各増幅器１、３、４の利得及び位相を変化させることにより、各増幅器１、３、４に最適なゲート電圧Ｖｇｓ１〜３が供給されるように制御する。これにより、利得及び位相の調整が行われ、各増幅器１、３、４があらゆる温度条件や経年変化において常に安定して動作することを確保することができ、安定した電力増幅器としての動作を保証することができる。
【００２３】
なお、検出された進行波Ｐｆ、反射波Ｐｒ、位相Φとテーブルに設定された最適な利得及び位相との対応関係としては、一例として、検出された進行波Ｐｆ及び反射波Ｐｒにより特定される利得がテーブルに設定された最適な利得に一致する或いは近づくように制御し、検出された位相Φがテーブルに設定された最適な位相に一致する或いは近づくように制御する。
【００２４】
ここで、制御の一例として、各増幅器１、３、４について共通に最適な利得及び位相を設定したテーブルを設けておいて、当該テーブルに設定された利得及び位相が各増幅器１、３、４において実現されるように、各増幅器１、３、４のゲート電圧Ｖｇｓ１〜３を制御することが可能である。
また、制御の他の一例として、並列して設けられる複数（本例では、２つ）の電力増幅器３、４について共通に最適な利得及び位相を設定したテーブルを設けておいて、当該テーブルに設定された利得及び位相がこれらの各電力増幅器３、４において実現されるように、これらの各電力増幅器３、４のゲート電圧Ｖｇｓ２、３を制御することが可能である。
【００２５】
また、制御の他の一例として、各増幅器１、３、４毎に個別にテーブルを設けておいて、各増幅器１、３、４毎に検出された入出力に関する進行波Ｐｆ、反射波Ｐｒ、位相Φと各増幅器１、３、４毎に設けられたテーブルの内容に基づいて、各増幅器１、３、４毎にゲート電圧Ｖｇｓ１〜３を制御することが可能である。
また、制御の他の一例として、全ての増幅器１、３、４の全体に関してテーブルを設けておいて、このような増幅器全体について検出された入出力に関する進行波Ｐｆ、反射波Ｐｒ、位相Φとこの増幅器全体に関して設けられたテーブルの内容に基づいて、各増幅器１、３、４毎に或いは全ての増幅器１、３、４をまとめて、ゲート電圧Ｖｇｓ１〜３を制御することが可能である。
また、制御の他の一例として、増幅装置からの出力信号に関する進行波Ｐｆ４、反射波Ｐｒ４、位相Φ４に基づいて、例えば、規定レベル以上の反射波レベルを検出した時に送信を禁止することや、或いは、各増幅器１、３、４の過電流などを検出して電力増幅器に保護をかけることを行うことなどが可能である。
【００２６】
また、例えば、以上のような制御の幾つかを組み合わせて用いることも可能である。
また、本例では、各増幅器１、３、４の入出力に関する進行波Ｐｆ、反射波Ｐｒ、位相Φ及び温度の検出結果に基づいて制御を行う構成を示したが、他の構成例として、温度の検出結果を用いずに、各増幅器１、３、４の入出力に関する進行波Ｐｆ、反射波Ｐｒ、位相Φに基づいて制御を行うことも可能であり、この場合、ＲＯＭ３１には、例えば、温度とは無関係に最適な利得及び位相を設定したテーブルが記憶される。
【００２７】
また、本例では、第１の切替状態においては、送信対象となる信号を増幅するに際して、各増幅器１、３、４のゲート電圧Ｖｇｓ１〜３を制御して、利得や位相を学習することができる一方、第２の切替状態においては、発振器２１及び終端器２２がスイッチ２３、２４により選択されて、発振器２１からの信号に基づいて各増幅器１、３、４のゲート電圧Ｖｇｓ１〜３を制御して、利得や位相を学習することができる。これにより、第２の接続状態では、本例の増幅装置の非運用時（つまり、運用されていない時）などに、本例の増幅装置単独で自己学習を行うことができ、例えば、電源投入時などに、スイッチ２３、２４により入力端Ａ１及び出力端Ａ２を切り離して、発振器２１から出力される基準信号を用いて校正を行うことで、常に安定した増幅を実現することができる。
【００２８】
以上のように、本例の増幅装置では、各増幅器１、３、４毎に入力に関する進行波Ｐｆ、反射波Ｐｒ、位相Φ及び出力に関する進行波Ｐｆ、反射波Ｐｒ、位相Φを検出するとともに、温度を検出し、これらの検出結果と予めテーブルに設定された最適な条件とを比較して、当該最適な条件が満たされるように各増幅器１、３、４のゲート電圧Ｖｇｓ１〜３を制御することが行われる。
このように、本例の増幅装置では、複数の増幅器からの出力を合成して利得を稼ぐ電力増幅器として機能する構成において、各々の増幅器１、３、４の入出力において進行波Ｐｆ、反射波Ｐｒ、位相Φを検出した結果及び温度を検出した結果に基づいて、自己学習することや、経年変化による能動素子の特性変動を補正することができる。これにより、例えば、経年変化による個々の増幅器の利得や位相の変動が要因となるバランスくずれ（アンバランス）により発生する電力増幅器の破壊を減少させる乃至防止することができ、温度による利得変動を最小限に抑えることができ、電力増幅器ユニットの交換時に利得や位相を調整する必要をなくすことができる。
【００２９】
なお、本例の増幅装置では、１つの励振増幅器１や２つの電力増幅器３、４により制御対象となる複数の増幅器が構成されており、各増幅器１、３、４の入力側及び出力側で進行波Ｐｆ、反射波Ｐｒ、位相Φを検出する１組の方向性結合器（増幅器１については方向性結合器１１と方向性結合器１２の組、増幅器３については方向性結合器１３と方向性結合器１４の組、増幅器４については方向性結合器１５と方向性結合器１６の組）の機能により各増幅器１、３、４についての情報検出手段が構成されており、温度センサ３２の機能により温度検出手段が構成されており、温度に応じて最適な利得及び位相の条件が設定されたテーブルを記憶するＲＯＭ３１の機能により条件設定手段が構成されており、検出された情報及び温度と設定された条件に基づいて各増幅器１、３、４のゲート電圧を制御するＤＳＰ３４の機能により制御手段が構成されている。
【００３０】
ここで、本発明に係る増幅装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
また、本発明に係る増幅装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００３１】
【図１】本発明の一実施例に係る増幅装置の構成例を示す図である。
【図２】増幅装置の構成例を示す図である。
【符号の説明】
【００３２】
１、３、４、４１、４３、４４・・増幅器、  ２、４２・・分配器、  ５、４５・・合成器、  １１〜１７、４６・・方向性結合器、  ２１・・発振器、  ２２・・終端器、  ２３、２４・・スイッチ、  ３１・・ＲＯＭ、  ３２・・温度センサ、  ３３・・Ａ／Ｄ変換器、  ３４・・ＤＳＰ、  ３５・・Ｄ／Ａ変換器、  Ａ１、Ａ１１・・入力端、  Ａ２、Ａ１２・・出力端、
【図１】
0004837333.tif 000002
【図２】
0004837333.tif 000003